【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
相互に通信可能な複数の送信装置と、受信装置とを具備する送受信システムであって、
前記複数の送信装置の各々は、
可変コードを保持する可変コード保持部と、
前記可変コードを含む制御信号を送信する制御信号送信部と、
前記制御信号の送信後に更新された前記可変コードを前記複数の送信装置における他の送信装置に対して送信して最新の可変コードとして設定させる可変コード同期送信部と
を備え、
前記受信装置は、
照合コードを保持する照合コード保持部と、
前記複数の送信装置の何れかから受信した前記制御信号に含まれる前記可変コードを前記照合コードと比較して、当該制御信号が適正であるか否かを認証し、適正であると認証された前記制御信号を制御対象機器に供給し、適正であると認証された前記制御信号に含まれる前記可変コードを新たな照合コードとして前記照合コード保持部に保持させるコード認証部と
を備える
送受信システム。
【請求項２】
前記受信装置は、前記複数の送信装置の何れかから受信した前記制御信号が適正であると認証された場合に、その制御信号を送信した送信装置に対して前記制御信号を受信した旨を通知する受領通知送信部をさらに備え、
前記可変コード同期送信部は、前記受信装置から前記通知を受け取った後に、前記更新後の可変コードの前記送信を行う
請求項１記載の送受信システム。
【請求項３】
前記可変コード同期送信部は、前記更新後の可変コードの前記送信を行う際に、送信対象となる前記他の送信装置との間の通信が不能な状態である場合には、その通信が可能な状態に復帰した後に、前記更新後の可変コードの前記送信を行う請求項１記載の送受信システム。
【請求項４】
前記複数の送信装置の各々は、前記制御信号の送信後に前記可変コードをインクリメントすることにより更新する可変コード更新部をさらに備え、
前記コード認証部は、前記可変コードの値が前記照合コードの値よりも大きい場合に前記可変コードが適正であると認証する
請求項１記載の送受信システム。
【請求項５】
前記複数の送信装置のそれぞれとネットワークを介して接続するサーバをさらに具備し、
前記可変コード同期送信部は、前記サーバを介して、前記更新後の可変コードの前記送信を行う
請求項１記載の送受信システム。
【請求項６】
前記可変コード同期送信部は、前記更新後の可変コードの前記送信を行う際に、前記サーバとの間の通信が不能な状態である場合には、その通信が可能な状態に復帰した後に、前記更新後の可変コードの前記送信を行う請求項５記載の送受信システム。
【請求項７】
前記サーバは、前記更新後の可変コードの前記送信を行う際に、前記複数の送信装置のうちの少なくとも１つの送信装置と通信が不能な状態である場合には、その通信が可能な状態に復帰した後に、その通信が可能となった前記送信装置に対して前記更新後の可変コードの前記送信を行う請求項５記載の送受信システム。
【請求項８】
前記可変コード同期送信部は、前記サーバと通信が不能な状態となった場合、その通信が可能な状態に復帰した後に、前記サーバに対して最新の前記可変コードを送信するよう要求する請求項５記載の送受信システム。
【請求項９】
前記複数の送信装置のそれぞれとネットワークを介して接続するサーバをさらに具備し、
前記サーバは、
前記可変コードを保持するサーバ側可変コード保持部と、
前記送信装置から送信完了通知を受け取る度に、前記サーバ側可変コード保持部に保持される前記可変コードを更新するサーバ側可変コード更新部と、
前記複数の送信装置のそれぞれに対して更新後の前記可変コードを送信して最新の可変コードとして設定させるサーバ側可変コード同期送信部と
を備え、
前記可変コード同期送信部は、前記制御信号送信部が前記制御信号を送信した後に、前記サーバに対して前記送信完了通知を送信し、前記サーバ側可変コード更新部に前記可変コードを更新させ、前記サーバ側可変コード同期送信部に前記複数の送信装置における他の送信装置に対して前記更新後の可変コードを送信させて、前記更新後の可変コードを最新の可変コードとして設定させる
請求項１記載の送受信システム。
【請求項１０】
前記複数の送信装置のそれぞれとネットワークを介して接続するサーバをさらに具備し、
前記可変コードは、第１および第２の可変コードを備え、
前記サーバは、
前記第２の可変コードを保持するサーバ側可変コード保持部と、
前記送信装置から送信完了通知を受け取る度に、前記サーバ側可変コード保持部に保持される前記第２の可変コードを更新するサーバ側可変コード更新部と、
前記複数の送信装置のそれぞれに対して更新後の前記第２の可変コードを送信して最新の第２の可変コードとして設定させるサーバ側可変コード同期送信部と
を備え、
前記可変コード保持部は、前記第１および第２の可変コードを保持し、
前記制御信号送信部は、前記第１および第２の可変コードを含む制御信号を送信し、
前記可変コード同期送信部は、前記制御信号送信部が前記制御信号を送信した後に、前記第１の可変コードを更新し、前記複数の送信装置における他の送信装置に対して前記更新後の第１の可変コードを送信して最新の第１の可変コードとして設定させるとともに、前記サーバに対して前記送信完了通知を送信し、前記サーバ側可変コード更新部に前記第２の可変コードを更新させ、前記サーバ側可変コード同期送信部に前記複数の送信装置における他の送信装置に対して前記更新後の第２の可変コードを送信させて、前記更新後の第２の可変コードを最新の第２の可変コードとして設定させ、
前記コード認証部は、前記複数の送信装置の何れかから受信した前記制御信号に含まれる前記第１および第２の可変コードの少なくとも一方を前記照合コードと比較して、当該制御信号が適正であるか否かを認証し、適正であると認証された前記制御信号を制御対象機器に供給し、適正であると認証された前記制御信号に含まれる前記第１および第２の可変コードを新たな照合コードとして前記照合コード保持部に保持させる
請求項１記載の送受信システム。
【請求項１１】
前記受信装置は、相互に通信可能な複数の受信装置であって、
前記複数の受信装置の各々は、
前記複数の受信装置における他の受信装置に対して前記新たな照合コードを送信して最新の照合コードとして設定させる照合コード同期送信部
をさらに備える
請求項１記載の送受信システム。
【請求項１２】
前記複数の送信装置のそれぞれと第１のネットワークを介して接続する第１のサーバと、
前記複数の受信装置のそれぞれと第２のネットワークを介して接続する第２のサーバとをさらに具備し、
前記可変コード同期送信部は、前記第１のサーバを介して、前記更新後の可変コードの前記送信を行い、
前記照合コード同期送信部は、前記第２のサーバを介して、前記新たな照合コードの前記設定を行う
請求項１１記載の送受信システム。
【請求項１３】
可変コードを保持する可変コード保持部と、
前記可変コードを含む制御信号を受信装置に対して送信する制御信号送信部と、
前記制御信号の送信後に更新された前記可変コードを、前記受信装置に前記制御信号を送信可能な他の送信装置に対して送信して最新の可変コードとして設定させる可変コード同期送信部と
を備える送信装置。
【請求項１４】
コンピュータを送信装置として機能させるプログラムであって、
可変コードを含む制御信号を受信装置に対して送信する制御信号送信手順と、
前記制御信号の送信後に更新された前記可変コードを、前記受信装置に前記制御信号を送信可能な他の送信装置に対して送信して最新の可変コードとして設定させる可変コード同期送信手順と
をコンピュータに実行させるプログラム。
【請求項１５】
相互に通信可能な複数の送信装置と、受信装置とを含む送受信システムにおける通信制御方法であって、
前記複数の送信装置の何れかが、可変コードを含む制御信号を送信する制御信号送信手順と、
前記受信装置が、前記送信装置から送信された前記制御信号を受信する制御信号受信手順と、
前記受信装置が、前記複数の送信装置の何れかから受信した前記制御信号に含まれる前記可変コードを予め設定された照合コードと比較して、当該制御信号が適正であるか否かを認証し、適正であると認証された前記制御信号を制御対象機器に供給し、適正であると認証された前記制御信号に含まれる前記可変コードを新たな照合コードとして設定するコード認証手順と、
前記制御信号を送信した送信装置が、前記複数の送信装置における他の送信装置に対して更新された前記可変コードを送信して最新の可変コードとして設定させる可変コード同期送信手順と
を備える通信制御方法。
【請求項１６】
送信装置と、相互に通信可能な複数の受信装置とを具備する送受信システムであって、
前記送信装置は、
可変コードを保持する可変コード保持部と、
前記可変コードを含む制御信号を送信する制御信号送信部と、
前記制御信号の送信後に前記可変コードを更新する可変コード更新部と
を備え、
前記複数の受信装置の各々は、
照合コードを保持する照合コード保持部と、
前記送信装置から受信した前記制御信号に含まれる前記可変コードを前記照合コードと比較して、当該制御信号が適正であるか否かを認証し、適正であると認証された前記制御信号を制御対象機器に供給し、適正であると認証された前記制御信号に含まれる前記可変コードを新たな照合コードとして前記照合コード保持部に保持させるコード認証部と、
前記複数の受信装置における他の受信装置に対して前記新たな照合コードを送信して最新の照合コードとして設定させる照合コード同期送信部と
を備える
送受信システム。
【請求項１７】
前記複数の受信装置のそれぞれとネットワークを介して接続するサーバをさらに具備し、
前記照合コード同期送信部は、前記サーバを介して、前記新たな照合コードの前記設定を行う
請求項１６記載の送受信システム。
【請求項１８】
照合コードを保持する照合コード保持部と、
送信装置から可変コードを含む制御信号を受信する制御信号受信部と、
前記送信装置から受信した前記制御信号に含まれる前記可変コードを前記照合コードと比較して、当該制御信号が適正であるか否かを認証し、適正であると認証された前記制御信号を制御対象機器に供給し、適正であると認証された前記制御信号に含まれる前記可変コードを新たな照合コードとして前記照合コード保持部に保持させるコード認証部と、
前記送信装置からの前記制御信号を受信可能な他の受信装置に対して前記新たな照合コードを送信して最新の照合コードとして設定させる照合コード同期送信部と
を備える受信装置。
【請求項１９】
コンピュータを受信装置として機能させるプログラムであって、
送信装置から可変コードを含む制御信号を受信する制御信号受信手順と、
前記送信装置から受信した前記制御信号に含まれる前記可変コードを予め設定された照合コードと比較して、当該制御信号が適正であるか否かを認証し、適正であると認証された前記制御信号を制御対象機器に供給し、適正であると認証された前記制御信号に含まれる前記可変コードを新たな照合コードとして設定させるコード認証手順と、
前記送信装置からの前記制御信号を受信可能な他の受信装置に対して前記新たな照合コードを送信して最新の照合コードとして設定させる照合コード同期送信手順と
をコンピュータに実行させるプログラム。
【請求項２０】
送信装置と、相互に通信可能な複数の受信装置とを含む送受信システムにおける通信制御方法であって、
前記送信装置が、可変コードを含む制御信号を送信する制御信号送信手順と、
前記送信装置が、前記制御信号の送信後に前記可変コードを更新する可変コード更新手順と、
前記複数の受信装置の何れかが、前記送信装置から送信された前記制御信号を受信する制御信号受信手順と、
前記制御信号を受信した受信装置が、前記送信装置から受信した前記制御信号に含まれる前記可変コードを予め設定された照合コードと比較して、当該制御信号が適正であるか否かを認証し、適正であると認証された前記制御信号を制御対象機器に供給し、適正であると認証された前記制御信号に含まれる前記可変コードを新たな照合コードとして設定するコード認証手順と、
前記制御信号を受信した受信装置が、前記複数の受信装置における他の受信装置に対して前記新たな照合コードを送信して最新の照合コードとして設定させる照合コード同期送信手順と
を備える通信制御方法。
【手続補正２】
【補正対象書類名】明細書
【補正対象項目名】０００８
【補正方法】変更
【補正の内容】
【０００８】
本発明は、上述の問題点を解消するためになされたものであり、その第１の側面は、相互に通信可能な複数の送信装置と、受信装置とを具備する送受信システムであって、上記複数の送信装置の各々は、可変コードを保持する可変コード保持部と、上記可変コードを含む制御信号を送信する制御信号送信部と、上記制御信号の送信後に更新された上記可変コードを上記複数の送信装置における他の送信装置に対して送信して最新の可変コードとして設定させる可変コード同期送信部とを備え、上記受信装置は、照合コードを保持する照合コード保持部と、上記複数の送信装置の何れかから受信した上記制御信号に含まれる上記可変コードを上記照合コードと比較して、当該制御信号が適正であるか否かを認証し、適正であると認証された上記制御信号を制御対象機器に供給し、適正であると認証された上記制御信号に含まれる上記可変コードを新たな照合コードとして上記照合コード保持部に保持させるコード認証部とを備える送受信システム、その送信装置、および、その通信制御方法ならびにその方法をコンピュータに実行させるプログラムである。これにより、複数の送信装置の各々で更新された可変コードを他の送信装置に同期させるという作用をもたらす。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、本発明の第２の側面は、送信装置と、相互に通信可能な複数の受信装置とを具備する送受信システムであって、上記送信装置は、可変コードを保持する可変コード保持部と、上記可変コードを含む制御信号を送信する制御信号送信部と、上記制御信号の送信後に上記可変コードを更新する可変コード更新部とを備え、上記複数の受信装置の各々は、照合コードを保持する照合コード保持部と、上記送信装置から受信した上記制御信号に含まれる上記可変コードを上記照合コードと比較して、当該制御信号が適正であるか否かを認証し、適正であると認証された上記制御信号を制御対象機器に供給し、適正であると認証された上記制御信号に含まれる上記可変コードを新たな照合コードとして上記照合コード保持部に保持させるコード認証部と、上記複数の受信装置における他の受信装置に対して上記新たな照合コードを送信して最新の照合コードとして設定させる照合コード同期送信部とを備える送受信システム、その送信装置、および、その通信制御方法ならびにその方法をコンピュータに実行させるプログラムである。これにより、複数の受信装置の各々で更新された照合コードを他の受信装置に同期させるという作用をもたらす。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】０１３１
【補正方法】変更
【補正の内容】
【０１３１】
＜８．第８の実施の形態＞
図２４は、本発明の第８の実施の形態における送受信システムの全体構成例を示す図である。この第８の実施の形態における送受信システムは、複数の送信装置１００（ＴＤ１乃至ＴＤ３）と、複数の受信装置２００（ＲＤ１乃至ＲＤ３）と、ネットワーク３００および４００と、サーバ（ＳＴ）５００および（ＳＲ）６００とを備える。すなわち、この第８の実施の形態における送受信システムは、第３の実施の形態の構成を基本として、サーバ５００および６００を新たに設けた構成となっており、サーバ５００および６００を介して可変コードまたは照合コードの同期を行う点で第３の実施の形態と異なっている。なお、この図では、３台の送信装置１００を示しているが、送信装置１００は２台以上であれば何台であってもよい。